(57)【要約】【課題】ＨＬＲ装置における加入者データが更新された際に、該当加入者の通信を切断することなく最小限のリソースと信号数でＨＬＲ装置とＶＬＲ装置との加入者データを一致させることができる移動通信システムを提供する。【解決手段】ＨＬＲ装置１６から加入者データの更新前と後の差分をＶＬＲ装置２６へ送信したが、ＶＬＲ装置２６から加入者データの更新完了の応答が返信されない場合、加入者データ制御部１２によって、加入者データベース１４に記憶された当該加入者データの識別情報を不一致の状態とする。この不一致の加入者データと当該加入者データを再構築する指示情報とを含む再構築通知信号をＶＬＲ装置２６へ送信する。ＶＬＲ装置２６では加入者データ制御部２０によって、再構築通知信号に応じて加入者データベース２４に記憶された該当加入者データを全て消去し、この消去領域に再構築通知信号に含まれる加入者データを書き込む。【選択図】      図１
2004228703.tif 000002
【特許請求の範囲】
【請求項１】
ホームロケーションレジスタ装置のデータベースに記憶された加入者データが更新された際に、この更新前と後の差分をビジタロケーションレジスタ装置へ送信し、この送信された差分に応じて前記ビジタロケーションレジスタ装置のデータベースに記憶された加入者データを更新することにより、前記ホームロケーションレジスタ装置と前記ビジタロケーションレジスタ装置との双方の加入者データを一致させる移動通信システムにおいて、
前記ホームロケーションレジスタ装置に、
前記ビジタロケーションレジスタ装置から前記加入者データの更新完了の応答を受信した際に前記双方の加入者データの一致を示し、前記更新完了の応答を受信できない場合に不一致を示すように制御される識別情報を、本ホームロケーションレジスタ装置のデータベースに記憶された加入者データに予め付加しておき、前記識別情報を前記一致および前記不一致の少なくとも１つの状態に制御すると共に、前記識別情報が不一致である加入者データと当該加入者データを再構築する指示情報とを含む再構築通知信号を前記ビジタロケーションレジスタ装置へ送信する制御を行う第１の制御手段を備え、
前記ビジタロケーションレジスタ装置に、
前記再構築通知信号の受信時に、本ビジタロケーションレジスタ装置のデータベースに記憶された該当加入者データを全て消去し、この消去領域に前記再構築通知信号に含まれる加入者データを書き込む制御を行う第２の制御手段を備えたことを特徴とする移動通信システム。
【請求項２】
前記第１の制御手段は、前記再構築通知信号の送信後に、前記ビジタロケーションレジスタ装置から返信される加入者データの再構築完了の応答を受信した際に、当該加入者データに付加された前記識別情報を一致状態とする制御を行い、
前記第２の制御手段は、前記再構築通知信号に含まれる加入者データを書き込んだ後、前記再構築完了の応答を前記ホームロケーションレジスタ装置へ返信する制御を行うことを特徴とする請求項１に記載の移動通信システム。
【請求項３】
データベースに記憶された加入者データが更新された際に、この更新前と後の差分をビジタロケーションレジスタ装置へ送信することにより、前記ビジタロケーションレジスタ装置との加入者データを一致させる制御を行うホームロケーションレジスタ装置において、
前記ビジタロケーションレジスタ装置から前記加入者データの更新完了の応答を受信した際に前記ビジタロケーションレジスタ装置の加入者データとの一致を示し、前記更新完了の応答を受信できない場合に不一致を示すように制御される識別情報を、本ホームロケーションレジスタ装置の加入者データに予め付加しておき、前記識別情報を前記一致および前記不一致の少なくとも１つの状態に制御すると共に、前記識別情報が不一致である加入者データと当該加入者データを再構築する指示情報とを含む再構築通知信号を前記ビジタロケーションレジスタ装置へ送信する制御を行う制御手段を備えたことを特徴とするホームロケーションレジスタ装置。
【請求項４】
前記制御手段は、前記再構築通知信号の送信後に、前記ビジタロケーションレジスタ装置から返信される加入者データの再構築完了の応答を受信した際に、当該加入者データに付加された前記識別情報を一致状態とする制御を行うことを特徴とする請求項３に記載のホームロケーションレジスタ装置。
【請求項５】
ホームロケーションレジスタ装置のデータベースに記憶された加入者データの更新時に送信されてくる前記更新の前と後の差分を受信し、この差分に応じて本ビジタロケーションレジスタ装置のデータベースに記憶された加入者データを更新することにより、前記ホームロケーションレジスタ装置の該当加入者データと一致させるビジタロケーションレジスタ装置において、
前記ホームロケーションレジスタ装置の該当加入者データと不一致となっている加入者データと当該加入者データを再構築する指示情報とを含む再構築通知信号を前記ホームロケーションレジスタ装置から受信した際に、本ビジタロケーションレジスタ装置のデータベースに記憶された該当加入者データを全て消去し、この消去領域に前記再構築通知信号に含まれる加入者データを書き込む制御を行う制御手段を備えたことを特徴とするビジタロケーションレジスタ装置。
【請求項６】
前記制御手段は、前記再構築通知信号に含まれる加入者データを書き込んだ後、前記再構築完了の応答を前記ホームロケーションレジスタ装置へ返信する制御を行うことを特徴とする請求項５に記載のビジタロケーションレジスタ装置。
【発明の詳細な説明】
【０００１】
【発明の属する技術分野】
本発明は、ＨＬＲ（ホームロケーションレジスタ）装置を有するホームメモリ局から、ＶＬＲ（ビジタロケーションレジスタ）装置を有する交換局へ加入者データを転送し、交換局にてＶＬＲ装置内の加入者データを参照することによりユーザへのサービス制御を行う際に、ＨＬＲ装置とＶＬＲ装置間の加入者データの整合性を保証する移動通信システム、ホームロケーションレジスタ装置およびビジタロケーションレジスタ装置に関する。
【０００２】
【従来の技術】
ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式に準拠したＨＬＲ装置とＶＬＲ装置が協調してサービス制御を行う移動通信ネットワーク（移動通信システム）においては、ＨＬＲ装置からＶＬＲ装置へ加入者データを転送し、ＶＬＲ装置で、その転送された加入者データを保持した後、加入者データを参照してサービス制御を行うようになっている。
【０００３】
つまり、ＨＬＲ装置は、当該通信事業者に加入する全ての加入者の移動通信端末機に関する位置情報、付加サービス加入情報、認証情報などの加入者データを保持するデータベースを有する。また、ＶＬＲ装置は、該当交換局の配下に在圏する全ての移動通信端末機の加入者データをＨＬＲ装置から取り寄せ、一時的に保持するデータベースを有する。
【０００４】
移動通信端末機が交換局に対して位置登録を行った場合に、ＶＬＲ装置から位置情報の更新がＨＬＲ装置へ通知され、この通知を契機にＨＬＲ装置からＶＬＲ装置へ、ＶＬＲ装置でサービス制御を行うために必要な全ての加入者データが転送される。
契約情報が、変更、削除、追加の何れかによって更新された場合や、加入者の移動通信端末機の操作により設定情報が更新された場合は、ＨＬＲ装置からＶＬＲ装置へ、加入者データの更新前と更新後の差分を転送する。ＶＬＲ装置は、その差分に応じてデータベースに保持している加入者データの変更、削除、追加の何れかを行うことで、ＨＬＲ装置とＶＬＲ装置間の加入者データを整合させている（非特許文献１参照）。
【０００５】
【非特許文献１】
株式会社ＮＴＴドコモ代表取締役：立川敬二監修「Ｗ−ＣＤＭＡ移動通信方式」丸善株式会社出版、平成１３年９月２５日第３刷発行、２５９頁図４−２０
【０００６】
【発明が解決しようとする課題】
しかし、従来のＨＬＲ装置とＶＬＲ装置とを有する移動通信システムにおいては、ＨＬＲ装置の加入者データが更新された場合に、ＨＬＲ装置よりＶＬＲ装置へ加入者データの更新された差分のみを転送しているが、この方法はＨＬＲ装置の加入者データが更新される前の時点でＨＬＲ装置とＶＬＲ装置でそれぞれ保持している加入者データが一致していることを前提としている。この前提条件から、差分の転送についてはＨＬＲ装置で更新が発生した順序を保ってＶＬＲ装置へ反映することが必要となる。このため、差分の転送に失敗した場合や差分の転送完了を待つ間に、別の加入者データの更新が発生した場合、また、差分を転送する信号の異常等によりＨＬＲ装置とＶＬＲ装置で保持している加入者データが不一致となった場合は、それ以降の差分の転送が不可能となるという問題がある。
【０００７】
転送する差分には、ＨＬＲ装置の加入者データから削除された情報を示すものも存在するため、単にＨＬＲ装置で保持する加入者データを全て差分として転送しても、削除された差分についてはＶＬＲ装置への反映ができない。このため、ＨＬＲ装置では、信号送信に失敗した時点からの差分を、図４に▲１▼〜▲５▼で示すように、加入者の電話番号毎に全てキューイングし、差分の発生した順序通りに再送する必要がある。しかし、この方法を用いる場合、蓄積した差分▲１▼〜▲５▼の量に比例して再送時の信号量が増大し、また、加入者データとは別に差分データ▲１▼〜▲５▼を蓄積する必要があるためＨＬＲ装置のリソースも蓄積する差分▲１▼〜▲５▼の量だけ確保しなければならないという問題がある。
【０００８】
この他、ＧＳＭ方式で規定されている加入者データの全消去信号を送信することによりＶＬＲ装置で保持する加入者データを消去し、消去が完了した後にＨＬＲ装置が保持する全情報を設定した加入者データの通知信号を送信するといった手法により、ＨＬＲ装置とＶＬＲ装置の加入者データを整合させることも考えられる。しかし、この手法の場合、加入者データの全消去信号は、該当加入者の契約解除時に送信されるものであるため、これを受信したＶＬＲ装置は該当加入者の通信を切断してしまうことになる。これを回避するためには、加入者データを更新した差分ではなく、ＨＬＲ装置で保持している最新の加入者データをそのままＶＬＲ装置へ転送する手順を実現する必要がある。
【０００９】
本発明は、このような課題に鑑みてなされたものであり、ＨＬＲ装置における加入者データが更新された際に、該当加入者の通信を切断することなく最小限のリソースと信号数でＨＬＲ装置とＶＬＲ装置との加入者データを一致させることができる移動通信システム、ホームロケーションレジスタ装置およびビジタロケーションレジスタ装置を提供することを目的としている。
【００１０】
【課題を解決するための手段】
上記目的を達成するために、本発明の請求項１による移動通信システムは、ホームロケーションレジスタ装置のデータベースに記憶された加入者データが更新された際に、この更新前と後の差分をビジタロケーションレジスタ装置へ送信し、この送信された差分に応じて前記ビジタロケーションレジスタ装置のデータベースに記憶された加入者データを更新することにより、前記ホームロケーションレジスタ装置と前記ビジタロケーションレジスタ装置との双方の加入者データを一致させる移動通信システムにおいて、前記ホームロケーションレジスタ装置に、前記ビジタロケーションレジスタ装置から前記加入者データの更新完了の応答を受信した際に前記双方の加入者データの一致を示し、前記更新完了の応答を受信できない場合に不一致を示すように制御される識別情報を、本ホームロケーションレジスタ装置のデータベースに記憶された加入者データに予め付加しておき、前記識別情報を前記一致および前記不一致の少なくとも１つの状態に制御すると共に、前記識別情報が不一致である加入者データと当該加入者データを再構築する指示情報とを含む再構築通知信号を前記ビジタロケーションレジスタ装置へ送信する制御を行う第１の制御手段を備え、前記ビジタロケーションレジスタ装置に、前記再構築通知信号の受信時に、本ビジタロケーションレジスタ装置のデータベースに記憶された該当加入者データを全て消去し、この消去領域に前記再構築通知信号に含まれる加入者データを書き込む制御を行う第２の制御手段を備えたことを特徴としている。
【００１１】
この構成によれば、ホームロケーションレジスタ装置から加入者データの更新前と後の差分をビジタロケーションレジスタ装置へ送信したが、通信回線の故障などの不具合により、ビジタロケーションレジスタ装置から加入者データの更新完了の応答が返信されない場合に、ホームロケーションレジスタ装置の当該加入者データの識別情報を不一致の状態とする。この識別情報が不一致の加入者データと当該加入者データを再構築する指示情報とを含む再構築通知信号をビジタロケーションレジスタ装置へ送信する。ビジタロケーションレジスタ装置は、再構築通知信号に応じてデータベースに記憶された該当加入者データを全て消去し、この消去領域に再構築通知信号に含まれる加入者データを書き込むようにした。
この制御によって、不具合が復旧した際に、双方のレジスタ装置で不一致となっている加入者データを一致させることができる。
【００１２】
また、本発明の請求項２による移動通信システムは、請求項１において、前記第１の制御手段は、前記再構築通知信号の送信後に、前記ビジタロケーションレジスタ装置から返信される加入者データの再構築完了の応答を受信した際に、当該加入者データに付加された前記識別情報を一致状態とする制御を行い、前記第２の制御手段は、前記再構築通知信号に含まれる加入者データを書き込んだ後、前記再構築完了の応答を前記ホームロケーションレジスタ装置へ返信する制御を行うことを特徴としている。
【００１３】
この構成によれば、ホームロケーションレジスタ装置は、再構築通知信号をビジタロケーションレジスタ装置へ送信後、ビジタロケーションレジスタ装置から返信されてくる加入者データ再構築完了の応答を受信した際に、当該加入者データに付加された識別情報を一致状態とするようにしたので、双方のレジスタ装置の加入者データが一致しているか、不一致かを判断することができる。
【００１４】
また、本発明の請求項３によるホームロケーションレジスタ装置は、データベースに記憶された加入者データが更新された際に、この更新前と後の差分をビジタロケーションレジスタ装置へ送信することにより、前記ビジタロケーションレジスタ装置との加入者データを一致させる制御を行うホームロケーションレジスタ装置において、前記ビジタロケーションレジスタ装置から前記加入者データの更新完了の応答を受信した際に前記ビジタロケーションレジスタ装置の加入者データとの一致を示し、前記更新完了の応答を受信できない場合に不一致を示すように制御される識別情報を、本ホームロケーションレジスタ装置の加入者データに予め付加しておき、前記識別情報を前記一致および前記不一致の少なくとも１つの状態に制御すると共に、前記識別情報が不一致である加入者データと当該加入者データを再構築する指示情報とを含む再構築通知信号を前記ビジタロケーションレジスタ装置へ送信する制御を行う制御手段を備えたことを特徴としている。
【００１５】
この構成によれば、データベースに記憶された加入者データの更新前と後の差分をビジタロケーションレジスタ装置へ送信したが、通信回線の故障などの不具合により、ビジタロケーションレジスタ装置から加入者データの更新完了の応答を受信できない場合に、ホームロケーションレジスタ装置の当該加入者データの識別情報を不一致の状態とする。この識別情報が不一致の加入者データと当該加入者データを再構築する指示情報とを含む再構築通知信号をビジタロケーションレジスタ装置へ送信するようにしたので、ビジタロケーションレジスタ装置は、再構築通知信号に応じてデータベースに記憶された該当加入者データを、再構築通知信号に含まれる加入者データで更新することができる。この制御によって、不具合が復旧した際に、双方のレジスタ装置で不一致となっている加入者データを一致させることができる。
【００１６】
また、本発明の請求項４によるホームロケーションレジスタ装置は、請求項３において、前記制御手段は、前記再構築通知信号の送信後に、前記ビジタロケーションレジスタ装置から返信される加入者データの再構築完了の応答を受信した際に、当該加入者データに付加された前記識別情報を一致状態とする制御を行うことを特徴としている。
【００１７】
この構成によれば、ホームロケーションレジスタ装置は、再構築通知信号をビジタロケーションレジスタ装置へ送信後、ビジタロケーションレジスタ装置から返信されてくる加入者データ再構築完了の応答を受信した際に、当該加入者データに付加された識別情報を一致状態とするようにしたので、双方のレジスタ装置の加入者データが一致しているか、不一致かを判断することができる。
【００１８】
また、本発明の請求項５によるビジタロケーションレジスタ装置は、ホームロケーションレジスタ装置のデータベースに記憶された加入者データの更新時に送信されてくる前記更新の前と後の差分を受信し、この差分に応じて本ビジタロケーションレジスタ装置のデータベースに記憶された加入者データを更新することにより、前記ホームロケーションレジスタ装置の該当加入者データと一致させるビジタロケーションレジスタ装置において、前記ホームロケーションレジスタ装置の該当加入者データと不一致となっている加入者データと当該加入者データを再構築する指示情報とを含む再構築通知信号を前記ホームロケーションレジスタ装置から受信した際に、本ビジタロケーションレジスタ装置のデータベースに記憶された該当加入者データを全て消去し、この消去領域に前記再構築通知信号に含まれる加入者データを書き込む制御を行う制御手段を備えたことを特徴としている。
【００１９】
この構成によれば、ホームロケーションレジスタ装置から不一致となっている加入者データと当該加入者データを再構築する指示情報とを含む再構築通知信号を受信した際に、再構築通知信号に応じてデータベースに記憶された該当加入者データを全て消去し、この消去領域に再構築通知信号に含まれる加入者データを書き込むようにしたので、双方のレジスタ装置で不一致となっている加入者データを一致させることができる。
【００２０】
また、本発明の請求項６によるビジタロケーションレジスタ装置は、請求項５において、前記制御手段は、前記再構築通知信号に含まれる加入者データを書き込んだ後、前記再構築完了の応答を前記ホームロケーションレジスタ装置へ返信する制御を行うことを特徴としている。
この構成によれば、ビジタロケーションレジスタ装置から再構築完了の応答をホームロケーションレジスタ装置へ返信するようにしたので、ホームロケーションレジスタ装置において、その再構築完了の応答を受信することによって、ビジタロケーションレジスタ装置との該当加入者データが一致状態であるか、不一致状態であるかを判断することができる。
【００２１】
【発明の実施の形態】
以下、本発明の実施の形態を、図面を参照して説明する。
（実施の形態）
図１は、本発明の実施の形態に係る移動通信システムの構成を示すブロック図である。
【００２２】
この図１に示す移動通信システムは、サービスオーダ制御部１０、加入者データ制御部１２および加入者データベース１４を有するＨＬＲ装置１６と、加入者データ制御部２０、呼制御部２２および加入者データベース２４を有するＶＬＲ装置２６とを備え、サービスオーダ制御部１０が契約情報設定装置３０と接続され、双方の加入者データ制御部１２，２０が接続されて構成されている。また、呼制御部２２は、移動通信端末機３２と無線回線にて接続される。ＨＬＲ装置１６はホームメモリ局に設置され、ＶＬＲ装置２６は交換局に設置されている。
【００２３】
図２に、ＨＬＲ装置１６の加入者データベース１４におけるデータ記憶構成および加入者データの構成を示す。加入者データベース１４には、加入者の電話番号毎に、加入者データ４２が対応付けられて記憶されている。加入者データ４２は、契約情報４４に識別情報４６が付されて構成されている。
契約情報設定装置３０は、加入者毎に設定される加入者データ４２の変更、削除、追加の何れかが行われた場合に、それらの内容をＨＬＲ装置１６へ通知するものである。
【００２４】
サービスオーダ制御部１０は、契約情報設定装置３０から送られてくる加入者データ４２の変更、削除、追加の何れかの通知内容を、加入者データ制御部１２へ出力するものである。
加入者データ制御部１２は、サービスオーダ制御部１０からの通知内容に応じて、加入者データベース１４に記憶された加入者データを、変更、削除、追加の何れかによって更新し、この更新前と後の差分をＶＬＲ装置２６へ通知する。この通知による加入者データの更新完了の応答がＶＬＲ装置２６から返送されてきた場合は、識別情報４６を、ＨＬＲ装置１６とＶＬＲ装置２６との加入者データが一致であることを示す値に設定する。一方、ＶＬＲ装置２６の故障や、ＨＬＲ装置１６とＶＬＲ装置２６とを接続する通信回線の故障などの不具合により、ＶＬＲ装置２６への差分通知に対する応答が返送されず、再送を試みても成功しなかった場合は、識別情報４６を加入者データが不一致であることを示す値に設定する。
【００２５】
さらに、加入者データ制御部１２は、契約情報設定装置３０から加入者データの変更、削除、追加の何れかが通知された場合、または一定周期の到来を契機として加入者データベース１４を検索し、識別情報４６が不一致を示す値となっている加入者について、該当加入者の全データと、該当加入者の全データを再構築する必要があるという情報とを設定した再構築通知信号を、ＶＬＲ装置２６へ送信する。この送信動作は、該当加入者の識別情報４６が一致を示す値となるまで、上記の契機で繰り返し実施される。つまり、加入者データ制御部１２は、ＶＬＲ装置２６への再構築通知信号による再構築が成功した場合、または位置登録により加入者データ４２の全データがＶＬＲ装置２６へ転送された契機で、加入者データベース１４に記憶された該当加入者の識別情報４６を、一致を示す値とする。
【００２６】
ＶＬＲ装置２６の加入者データ制御部２０は、上記の再構築通知信号を受信すると、該当加入者の全データを再構築する必要があることを認識し、加入者データベース２４に記憶された該当加入者データを全て消去し、この消去領域に再構築通知信号に含まれる加入者データを書き込む制御を行うものである。
呼制御部２２は、加入者データベース２４に記憶された加入者データに応じ、移動通信端末機３２に対して通信サービスを提供するものである。
【００２７】
このような構成の移動通信システムにおけるＨＬＲ装置１６とＶＬＲ装置２６に記憶される加入者データを一致させる処理を、図３に示すフローチャートを参照して説明する。
ステップＳ１において、加入者毎に設定される加入者データ４２の変更が行われたとすると、契約情報設定装置３０から、その変更内容がＨＬＲ装置１６のサービスオーダ制御部１０を介して加入者データ制御部１２へ通知される。この通知を受けた加入者データ制御部１２の制御によって、加入者データベース１４に記憶された加入者データ４２が変更される。つまり、更新される。
【００２８】
この更新後、ステップＳ２に示すように、加入者データ制御部１２の制御によって、加入者データ４２の更新前と後の差分がＶＬＲ装置２６の加入者データ制御部２０へ通知される。
この通知後、ステップＳ３において、ＨＬＲ装置１６の加入者データ制御部１２では、ＶＬＲ装置２６から先の差分通知にもとづく加入者データの更新完了の応答が返送されてきたか否かが判定される。この結果、応答が返送されてきた場合は、ステップＳ４において、加入者データ制御部１２によって、該当加入者データ４２の識別情報４６が、ＨＬＲ装置１６とＶＬＲ装置２６との該当加入者データが一致であることを示す値に設定される。
【００２９】
一方、ステップＳ３において、応答が返送されて来ないと判定された場合は、ステップＳ５において、差分の再送が行われ、ステップＳ６において、その差分通知にもとづく加入者データの更新完了の応答が返送されてきたか否かが判定される。この結果、応答が返送されてきた場合は、ステップＳ４において、該当加入者データ４２の識別情報４６が一致を示す値に設定される。
【００３０】
一方、ステップＳ６において、加入者データ制御部１２によって、再送の応答が返送されて来ないと判定された場合は、ステップＳ７において、該当加入者データ４２の識別情報４６が不一致を示す値に設定される。
この後、ステップＳ８では、加入者データ制御部１２によって、一定周期のタイミングで加入者データベース１４が検索され、識別情報４６が不一致を示す値となっている加入者について、該当加入者の全データと、該当加入者の全データを再構築する必要があるという情報とを設定した再構築通知信号が、ＶＬＲ装置２６の加入者データ制御部２０へ送信される。
【００３１】
ここで、加入者データ制御部２０において正常に再構築通知信号が受信された場合を想定すると、ステップＳ９に示すように、該当加入者の全データを再構築する必要があることが認識され、加入者データベース２４に記憶された該当加入者データが全て消去され、この消去領域に再構築通知信号に含まれる加入者データが書き込まれる。
【００３２】
また、ＨＬＲ装置１６の加入者データ制御部１２においては、ステップＳ８の再構築通知信号の通知後、ステップＳ１０において、ＶＬＲ装置２６から再構築完了の応答が返送されてきたか否かが判定される。この結果、応答が返送されてきた場合は、ステップＳ４において、該当加入者データ４２の識別情報４６が一致を示す値に設定される。
【００３３】
一方、ステップＳ１０において、再構築完了の応答が返送されて来ないと判定された場合は、ステップＳ８において、次の検索タイミングで加入者データベース１４が検索され、識別情報４６が不一致を示す値となっている加入者データ４２にもとづく再構築通知信号が、ＶＬＲ装置２６の加入者データ制御部２０へ再送される。以降、ステップＳ１０において、応答が返送されてきたと判定され、ステップＳ４において、該当加入者データ４２の識別情報４６が一致を示す値に設定されるまで、ステップＳ８からステップＳ１０の処理が繰り返される。
【００３４】
この動作説明では、加入者毎に設定される加入者データ４２の変更が行われた場合を想定したが、削除、追加の場合も同様に実行される。
このような本実施の形態の移動通信システムによれば、まず、ＨＬＲ装置１６から加入者データ４２の更新前と後の差分をＶＬＲ装置２６へ送信したが、通信回線の故障などの不具合により、ＶＬＲ装置２６から加入者データの更新完了の応答が返信されない場合、加入者データ制御部１２によって、ＨＬＲ装置１６の加入者データベース１４に記憶された当該加入者データ４２の識別情報４６を不一致の状態とする。この識別情報４６が不一致の加入者データ４２と当該加入者データ４２を再構築する指示情報とを含む再構築通知信号をＶＬＲ装置２６へ送信する。ＶＬＲ装置２６では、加入者データ制御部２０によって、再構築通知信号に応じて加入者データベース２４に記憶された該当加入者データを全て消去し、この消去領域に再構築通知信号に含まれる加入者データ４２を書き込むようにした。
【００３５】
この制御によって、不具合が復旧した際に、ＨＬＲ装置１６とＶＬＲ装置２６で不一致となっている加入者データを一致させることができる。従って、ＨＬＲ装置１６における加入者データが更新された際に、該当加入者の通信を切断することなく最小限のリソースと信号数でＨＬＲ装置１６とＶＬＲ装置２６との加入者データを一致させることができる。
【００３６】
また、ＨＬＲ装置１６は、再構築通知信号をＶＬＲ装置２６へ送信後、ＶＬＲ装置２６から返信されてくる加入者データ再構築完了の応答を受信した際に、当該加入者データ４２に付加された識別情報４６を一致状態とするようにしたので、ＨＬＲ装置１６とＶＬＲ装置２６との加入者データが一致しているか、不一致かを判断することができる。
【００３７】
【発明の効果】
以上説明したように本発明は、ホームロケーションレジスタ装置から加入者データの更新前と後の差分をビジタロケーションレジスタ装置へ送信したが、ビジタロケーションレジスタ装置から加入者データの更新完了の応答が返信されない場合に、ホームロケーションレジスタ装置の当該加入者データの識別情報を不一致の状態とする。この識別情報が不一致の加入者データと当該加入者データを再構築する指示情報とを含む再構築通知信号をビジタロケーションレジスタ装置へ送信する。ビジタロケーションレジスタ装置は、再構築通知信号に応じてデータベースに記憶された該当加入者データを全て消去し、この消去領域に再構築通知信号に含まれる加入者データを書き込むようにした。従って、ホームロケーションレジスタ装置における加入者データが更新された際に、該当加入者の通信を切断することなく最小限のリソースと信号数でホームロケーションレジスタ装置とビジタロケーションレジスタ装置との加入者データを一致させることができる。
【図面の簡単な説明】
【図１】本発明の実施の形態に係る移動通信システムの構成を示すブロック図である。
【図２】ＨＬＲ装置の加入者データベースにおけるデータ記憶構成および加入者データの構成を示す図である。
【図３】ＨＬＲ装置とＶＬＲ装置との加入者データの一致処理を説明するためのフローチャートである。
【図４】従来のＨＬＲ装置において加入者データの更新前と更新後の差分の蓄積状態を示す図である。
【符号の説明】
１０  サービスオーダ制御部
１２，２０  加入者データ制御部
１４，２４  加入者データベース
２２  呼制御部
３０  契約情報設定装置
４２  加入者データ
４４  契約情報
４６  識別情報
【図１】
2004228703.tif 000003
【図２】
2004228703.tif 000004
【図３】
2004228703.tif 000005
【図４】
2004228703.tif 000006